(57)【要約】【課題】着用者が手を置くことができる開口部の少なくとも一部にわたって延びるストラップを一般に含む、野球またはソフトボール用の軽量で通気性のあるグローブを提供する。【解決手段】ストラップは少なくとも部分的に弾性材料で作製されているため、ストラップは伸縮することができる。グローブは、優れた使いやすさをもたらすために軽量化されていてもよい。さらに、グローブがぴったりとフィットすることにより、グローブの制御性が高まり、グローブの優れた有用性および性能、ならびにその他の利点がもたらされる。あるいは、グローブは、グローブから延び、その端部の１つで弾性バンドに係合することができるひもを含むことができる。したがって、弾性バンドはグローブおよびひもの両方に係合することができるため、開口部のサイズをストラップおよび／または弾性バンドによって増減させることができる。【選択図】図２
2020192317.tif 000002
【特許請求の範囲】
【請求項１】
前部パネルおよび後部パネルであって、各々が、上部と、第１および第２の側部とを有し、前記前部パネルおよび後部パネルのそれぞれの上部、第１の側部、および前記第２の側部が留め具によって互いに固定されていて、前記前部パネルおよび後部パネルが、それぞれの下部で接続されず、それらの間に開口部を形成する、前部パネルおよび後部パネルと、
前記後部パネルから前記開口部の少なくとも一部を横切って延びるストラップであって、弾性変形可能な部分を含むストラップと
を備えるグローブであって、
前記開口部が、前記ストラップの前記弾性変形可能な部分の伸縮に伴って、選択的に幅が増減する、グローブ。
【請求項２】
前記ストラップが、少なくとも部分的に通気性材料で作製されている、請求項１に記載のグローブ。
【請求項３】
前記ストラップが、少なくとも部分的にニット材料で作製されている、請求項１に記載のグローブ。
【請求項４】
前記ストラップが、少なくとも部分的にメッシュ状材料で作製されている、請求項１に記載のグローブ。
【請求項５】
前記ストラップが、非弾性材料をさらに含む、請求項１に記載のグローブ。
【請求項６】
前記ストラップが、少なくとも第１のストラップおよび第２のストラップで構成される、請求項１に記載のグローブ。
【請求項７】
前記第１のストラップおよび前記第２のストラップの少なくとも一方が、非弾性材料を含む、請求項７に記載のグローブ。
【請求項８】
前記開口部のサイズを調整するテンション調整機構を含む請求項１に記載のグローブ。
【請求項９】
前記ストラップが、形状記憶効果を有する、請求項１に記載のグローブ。
【請求項１０】
前部パネルおよび後部パネルであって、各々が、上部と、第１および第２の側部とを有し、前記前部パネルおよび後部パネルのそれぞれの上部、第１の側部、および前記第２の側部が留め具によって互いに固定されていて、前記前部パネルおよび後部パネルが、それぞれの下部で接続されず、それらの間に開口部を形成する、前部パネルおよび後部パネルと、
前記開口部の少なくとも一部を横切って延びるストラップであって、選択的に伸縮することができるストラップと
を備えるグローブ。
【請求項１１】
前記開口部の幅を調整するテンション調整機構を含む請求項１０に記載のグローブ。
【請求項１２】
前記ストラップが、ひもおよび弾性バンドで構成される、請求項１０に記載のグローブ。
【請求項１３】
前記ストラップが、形状記憶効果を有する、請求項１０に記載のグローブ。
【請求項１４】
前部パネルおよび後部パネルであって、各々が、上部と、第１および第２の側部とを有し、前記前部パネルおよび後部パネルのそれぞれの上部、第１の側部、および前記第２の側部が留め具によって互いに固定されていて、前記前部パネルおよび後部パネルが、それぞれの下部で接続されず、それらの間に開口部を形成する、前部パネルおよび後部パネルと、
ひもおよび弾性バンドであって、互いに隣接し当接しており、前記弾性バンドが選択的に伸縮することができる、ひもおよび弾性バンドと
を備えるグローブであって、
前記ひもおよび弾性バンドが、前記開口部の少なくとも一部を横切って延びる、グローブ。
【請求項１５】
前記弾性バンドおよび前記ひもの少なくとも一方が、少なくとも部分的に通気性材料で作製されている、請求項１４に記載のグローブ。
【請求項１６】
前記弾性バンドおよび前記ひもの少なくとも一方が、少なくとも部分的にニット材料で作製されている、請求項１４に記載のグローブ。
【請求項１７】
前記弾性バンドおよび前記ひもの少なくとも一方が、少なくとも部分的にメッシュ状材料で作製されている、請求項１４に記載のグローブ。
【請求項１８】
前記弾性バンドおよび前記ひもの少なくとも一方が、非弾性材料をさらに含む、請求項１４に記載のグローブ。
【請求項１９】
前記弾性バンドが、形状記憶効果を有する、請求項１４に記載のグローブ。
【請求項２０】
前記開口部のサイズを調整するテンション調整機構を含む請求項１４に記載のグローブ。
【発明の詳細な説明】
【技術分野】
【０００１】
関連出願の相互参照
この出願は、２０１９年２月２５日に出願され、係属中の「弾性リストバンド付きグローブ」という表題の米国特許仮出願第６２／８０９，８５４号、および２０１９年６月１７日に出願され、係属中の「弾性ストラップ付きグローブ」という表題の米国特許仮出願第６２／８６２，３１１号の優先権を主張し、それらの全開示は参照により本明細書に組み込まれる。
【０００２】
本発明は、スポーツ用具に関し、より詳細には、野球またはソフトボール用のグローブに関する。本発明は、具体的には、着用者の手にぴったりフィットするストラップ付きの野球またはソフトボール用の軽量グローブに関する。
【背景技術】
【０００３】
図１に最もよく示されるように、野球またはソフトボール用の従来のグローブ１００は、一般に、グローブ１００の前部を形成する前部パネル１１０と、グローブ１００の後部を形成する後部パネル１１５とを含む。前部パネル１１０および後部パネル１１５は、様々な締結手段によってグローブ１００の周縁部で互いに固定され、上側面１２２、下側面１２４、および両側面１２６を有するグローブシェル１２０を形成する。締結手段には、ステッチ、コード、留め金、リベット、接着剤、および他の締結手段が含まれ得るが、これらに限定されない。グローブシェル１２０は、一般に、親指部１３６と指部１３８とを、親指を親指部１３６に、他の指を指部１３８にそれぞれ挿入することができるような形状および大きさに画定する。指部１３８は、従来、クロスブレースによって接合され、接合された指領域１４０を形成する。クロスブレースには、コードなどが含まれ得るが、これらに限定されない。ウェブ１４２は、親指部１３６と指部１３８との間に配置され、締結手段によって固定される。
【０００４】
前部パネル１１０は、グローブ１００の下側面１２４の上方、ウェブ１４２および指部１３８の下方に位置するボールキャッチポケットを形成する中央部（図示せず）を有する。後部パネル１１５の下側面１２４は、着用者の手を受け入れる開口部１４５を画定し、開口部１４５を横切って延びる調整可能なストラップまたはひも１５０をさらに備えてもよい。調整可能なストラップまたはひも１５０には、通常、フックアンドリングタイプのファスナー、プルストラップ、フックアンドループストラップなどが含まれる。場合によっては、グローブ１００が使用中に動くことを防ぐために、着用者はストラップまたはひも１５０を調整して、着用者の手首に選択的に固定し、ぴったりとフィットさせることができる。前部パネル１１０および後部パネル１１５は、構造的完全性および衝撃吸収の目的のために、比較的厚く、高密度の、硬い材料で構成されることが好ましい。
【０００５】
従来の様式で構築されたグローブ１００は重く、使用中に着用者の手にグローブ１００を固定する適切な手段がなく、手触りが悪く、適切な通気性を欠く。一般的に、従来のように構築されたグローブ１００は、全体または大部分が、一般に比較的高密度の硬い材料である革および／または革のような材料で構成される。野球またはソフトボール用のグローブの構築にこのような高密度の材料を使用すると、特にキャッチャーまたは外野手のグローブなど、追加のパッドまたは長さのある材料を含むグローブでは、比較的重いグローブが作成される。さらに、既知のグローブ１００の後部パネル１１５および他の要素を成すために硬い材料を使用すると、一般に、グローブ１００の最適なフィット感および手触りが阻害される。既知のグローブ１００の前部パネル１１０の革または革のような材料は、手のひらを折る、またはグローブ１００のポケットを形成する過程を経て、時間とともに硬さが低下し得るが、既知のグローブ１００の後部パネル１１５の材料は、一般に、グローブ１００の寿命にわたって比較的硬いままである。さらに、一般に、革および／または革のような材料は、十分に通気性がなく、グローブ１００の使用中に着用者の手および手の周りの空気の流れを制限する。例えば、既知のグローブ１００の後部パネル１１５は、柔軟性が制限された、着用者の手および手の周りに十分な空気の流れを生まない革または革のような材料を含む。
【０００６】
したがって、既知のグローブと比較してより少ない材料を使用しながら、グローブの有用性を最適化するために、ぴったりとしたフィット感、ゆったりとした手触りの軽量で通気性のあるグローブが必要である。
【発明の概要】
【０００７】
本発明は、着用者が手を置くことができる開口部の少なくとも一部にわたって延びるストラップを一般に含む、野球またはソフトボール用の軽量で通気性のあるグローブに関する。ストラップは少なくとも部分的に弾性材料で作製されているため、ストラップは伸縮することができ、さらに形状記憶効果を有する。
【０００８】
したがって、ストラップは、着用者の手にぴったりとフィットし、ゆったりとした手触りをもたらす。グローブの軽量化により、優れた使いやすさ、ならびにその他の利点がもたらされる。さらに、グローブがぴったりとフィットすることにより、グローブの制御性が高まり、グローブの優れた有用性および性能、ならびにその他の利点がもたらされる。さらに、グローブの通気性により、着用者の快適さが向上する。一般に、ストラップは、弾性材料、弾性材料の組み合わせ、または弾性材料と非弾性材料との組み合わせを含む。このストラップは、従来の調整可能なストラップまたはひもを、弾性材料、弾性材料の組み合わせ、または弾性材料と非弾性材料との組み合わせに少なくとも部分的に交換することにより達成することができる。
【０００９】
あるいは、グローブは、グローブから延びていてもよいひもを含むことができる。ひもは、非弾性材料でできていてもよい。ひもは、もう一方の端で弾性バンドに係合してもよい。したがって、弾性バンドは、グローブとひもとの両方に係合することができる。したがって、開口部のサイズは、ストラップおよび／または弾性バンドによって増減させることができる。
【００１０】
本発明の目的は、（ｉ）軽量のグローブを提供すること、（ｉｉ）着用者のフィット感を改善したグローブを提供すること、（ｉｉｉ）通気性を改善したグローブを提供すること、および（ｉｖ）既知のグローブを比較して使用する材料がより少ないグローブを提供することである。本発明の他の利点および目的は、添付の図面を参照した以下の説明から明らかになるであろう。
【００１１】
本発明の様々な実施形態をよりよく理解するために、添付図面を参照することができる。
【図面の簡単な説明】
【００１２】
【図１】既知のグローブの斜視図および概略図である。
【図２】本発明の教示によるグローブの第１の実施形態の斜視図および概略図である。
【図３】図２のグローブの斜視図である。
【図４】図２および図３のグローブの斜視図である。
【図５】グローブの第２の実施形態の斜視図である。
【００１３】
本開示は様々な修正形態および代替形態が可能だが、その特定の実施形態は、例として図面に示されており、本明細書で詳細に説明される。ただし、本明細書に提示される図面および詳細な説明は、本開示を開示される特定の実施形態に限定することを意図するものではなく、反対に、本開示の精神および範囲内にあるすべての修正、同等物、および代替物を網羅することが意図されることを理解されたい。
【発明を実施するための形態】
【００１４】
ここで、図面を参照して本発明を説明するが、図面全体を通して、同様の参照番号は同様の部分を指す。本発明の特徴を明確にするために、図面では要素の比例関係は必ずしも維持されていない。図面に含まれる寸法は単に例として提供され、そこに提供される寸法以外の寸法も本発明の範囲内であることを理解されたい。
【００１５】
本発明の説明は、本発明を実施することができる特定の実施形態を参照している。実施形態は、当業者が本発明を実施できるように、本発明の態様を十分詳細に説明することを意図している。他の実施形態を利用することができ、本発明の範囲から逸脱することなく変更を加えることができる。本発明は、添付の特許請求の範囲によって定義され、したがって、説明は限定的な意味で解釈されるべきではなく、そのような特許請求の範囲が権利を有する均等物の範囲を限定しない。
【００１６】
本発明の目的の１つは、（ｉ）軽量化された、（ｉｉ）着用者のフィット感および手触りが改善された、（ｉｉｉ）通気性が改善された、および（ｉｖ）既知のグローブと比較して材料がより少ない、野球またはソフトボール用のグローブを提供することである。さらに、本発明の別の目的は、野球またはソフトボール用の既知のグローブを改善した野球またはソフトボール用のグローブを提供することである。
【００１７】
図２〜図４に示すように、本発明は、野球またはソフトボール用の改善された軽量グローブ２００に関する。グローブ２００は、前部パネル２０５および後部パネル２１０を含み、前部パネル２０５はグローブ２００の前面を形成し、後部パネル２１０はグローブ２００の後面を形成する。前部パネル２０５は、グローブ２００の、ボールがグローブ２００に捕らえられたときにボールに隣接する側であり、後部パネル２１０は、前部パネル２０５の反対側にある。前部パネル２０５および後部パネル２１０は、グローブ２００の上部２２０および両側面２２５で少なくとも１つの留め具（図示せず）によってグローブ２００の周縁で一緒に固定され、ユーザーの手をグローブ２００に挿入する開口部２３０が残される。少なくとも１つの留め具（図示せず）は、ステッチ、コード、留め金、リベット、接着剤、および／または当技術分野で知られている他の締結手段であってもよい。
【００１８】
後部パネル２１０は、開口部２３０から上部２２０に向かって延びるＵ字状の形状であってもよい切り欠き部２３５を含む。第１の実施形態では、グローブ２００は、第１の切り欠き側面２４５から第２の切り欠き側面２５０に向かって延びるバンドまたはストリップであり得る、グローブ２００の下部２５２に位置するストラップ２４０をさらに含むことができる。しかしながら、代替の実施形態では、ストラップ２４０は複数の材料片を含んでもよく、異なる形状およびサイズでもよい。したがって、着用者の手を受け入れる開口部２３０は、ストラップ２４０および前部パネル２０５によって少なくとも部分的に画定され得る。
【００１９】
ストラップ２４０は、弾性材料、弾性材料の組み合わせ、または弾性材料と非弾性材料との組み合わせから作製され得る。さらに、弾性材料、弾性材料の組み合わせ、または弾性材料と非弾性材料との組み合わせは、繰り返し弾性変形が可能であり、形状記憶効果を有し得る。したがって、ストラップ２４０は、圧力または力がもたらされると伸びることができる。次いで、ストラップ２４０は、力または圧力がもはやストラップ２４０に加えられなくなると収縮し、元のサイズおよび長さに戻ることができる。したがって、ユーザーがグローブ２００を使用したい場合、ユーザーは開口部２３０から手を挿入することができる。開口部２３０は、ストラップ２４０に力が加えられるほど十分に狭くまたは十分に小さいことが好ましく、開口部を通して手が置かれるときにストラップ２４０を伸縮させる。
【００２０】
手がグローブ２００に挿入されると、手と比較して手首のサイズおよび幅が小さいため、ストラップ２４０に加えられた圧力または力は除去される。手のサイズによってストラップ２４０に加えられた力がなくなると、ストラップ２４０の長さは減少する。したがって、開口部２３０のサイズは、その以前のサイズに収縮することができ、ストラップ２４０によって、着用者の手および／または手首にぴったりとしたフィット感がもたらされることが好ましい。したがって、ストラップ２４０の弾性材料（または弾性材料の組み合わせ、または弾性材料と非弾性材料との組み合わせ）により、開口部２３０を、グローブ２００のフィット感および手触りを改善するのに十分なほど小さくすることができるが、開口部２３０は、依然として快適にグローブ２００に手を挿入することができるほど十分に伸びることができる。
【００２１】
代替実施形態では、ストラップ２４０は、グローブ２００のフィット感および手触りをさらに調整するためにテンション調整機構（図示せず）を含んでもよい。ストラップ２４０のそのような代替物は、第１の切り欠き側面２４５から第２の切り欠き側面２５０に向かって延びることができ、接続点（図示せず）を含み得る。接続点は、ストラップ２４０がテンション調整機構に係合することを可能にする。テンション調整機構は、第２の切り欠き側面２５０から様々な距離に配置された、および位置した一連のスナップボタン、ラチェットシステム、または交換可能なストラップであってもよい。
【００２２】
テンション調整機構が一連の交換可能なストラップである実施形態では、ストラップ２４０は、交換可能なストラップと係合する接続点を含むことができる。次いで、グローブ２００は、第２の切り欠き側面２５０に位置する接続点（図示せず）をさらに含むことができる。交換可能なストラップは、ストラップ２４０および第２の切り欠き側面２５０の両方に係合することができ、それにより、使用される交換可能なストラップの長さに応じてストラップ２４０のテンションを増減させる。さらに別の実施形態では、ストラップ２４０全体をグローブ２００から取り外し、交換可能なストラップと交換することができる。さらに別の実施形態では、テンション調整機構は、第２の切り欠き側面２５０の代わりに第１の切り欠き側面２４５に配置されてもよい。
【００２３】
さらに別の代替実施形態では、図５に見られるように、グローブ２００は、第１の切り欠き側面２４５（図２〜図４に示す）に取り付けられ、切り欠き部２３５の第２の切り欠き側面２５０（図２〜図４に示す）に向かって延びるひも２５５を含むことができる。ひも２５５の第１のひも端部（図示せず）は、第１の切り欠き側面２４５から切り欠き部２３５の第２の側面２５０に向かって延びる一方、第２のストラップ端部２６５は弾性バンド２７０に隣接し、当接する。弾性バンド２７０は、第２の切り欠き側面２５０に隣接し、当接する。したがって、グローブ２００のひも２５５および弾性バンド２７０は、一緒に開口部２３０（図２〜図４に示す）を横切って延びることができる。
【００２４】
ひも２５５は、非弾性材料でできていてもよい。したがって、ひも２５５は伸びない。しかしながら、弾性バンド２７０は、弾性材料、または１つ以上の弾性材料と非弾性材料との組み合わせから作製されていてもよい。第１の実施形態と同様に、弾性バンド２７０の弾性材料は、開口部２３０のサイズが圧力または力とともに増大し、力または圧力が除去されると減少することを可能にする。したがって、グローブ２００の開口部２３０のサイズは、手が開口部２３０を通り抜けるように増大し、手が開口部２３０を通過すると減少する。グローブ２００は、上述のように、テンション調整機構をさらに含み、グローブ２００の調整可能性および向上した手触りをさらに有し得る。
【００２５】
したがって、図２〜図５に示された実施形態に関して、着用者は、自身の手を開口部２３０に挿入し、自身の手のひらおよび指はグローブ２００に受け入れられる。着用者がグローブ２００に手を挿入すると、着用者の手首および手は、ストラップ２４０またはひも２５５および弾性バンド２７０を選択的に変位させ、これらは両方とも着用者の手の少なくとも大部分がグローブ２００内に受け入れられると、弾性材料の弾性および記憶形状の性質を介して、グローブ２００に対して意図された位置に戻る。着用者の手の少なくとも大部分がグローブ２００内に受け入れられると、弾性材料は、ストラップ２４０またはひも２５５と弾性バンド２７０との組み合わせにより、着用者の手首と手を圧縮的に固定するため、グローブ１００を着用者の手に選択的に固定する調整可能なストラップまたはひも１５０を使用する必要はない。グローブ２００は、着用者の手首および手を圧縮的に固定する以外の目的のために、ストラップ２４０またはひも２５５および弾性ストラップ２７０を備えてもよいことが理解されるであろう。
【００２６】
したがって、上述の実施形態では、グローブ２００は、ストラップ２４０またはひも２５５および弾性バンド２７０のいずれかを使用して、着用者の手にぴったりのフィット感およびゆったりとした手触りをもたらす。ストラップ２４０および弾性バンド２７０は一般に、少なくとも部分的に、軽量の弾性材料、弾性材料の組み合わせ、または弾性材料と非弾性材料との組み合わせからなり、これらは通気性があってもよく、一般に柔軟なニットまたはメッシュ状材料からなってもよい。さらに、弾性材料、弾性材料の組み合わせ、または弾性材料と非弾性材料との組み合わせは、繰り返し伸縮が可能であり、形状記憶効果を有し得る。ストラップ２４０、ひも２５５、および弾性バンド２７０は、グローブ２００の使用中に着用者の手および／または手の周りの空気の流れを促進する目的で、通気性材料をさらに含むことができる。
【００２７】
好ましい実施形態では、ストラップ２４０および弾性バンド２７０の弾性材料、弾性材料の組み合わせ、または弾性材料と非弾性材料との組み合わせは、従来技術の調整可能なストラップまたはひも１５０の一般的な目的にかなうことができ、同時にそのための改善された望ましい材料特性を提供する。さらに、ストラップ２４０、およびひも２５５と弾性バンド２７０との組み合わせは、様々なサイズの手および手首に対応するのに適している。このように、ストラップ２４０、およびひも２５５と弾性バンド２７０との組み合わせは、野球またはソフトボール用の既知のグローブ１００と比較した場合、優れた、順応性のあるフィット感およびゆったりとした手触りを提供する。ストラップ２４０またはひも２５５と弾性バンド２７０との組み合わせは、そのような非弾性材料を従来のグローブ１００に取り付けるために伝統的に使用されていた他の締結手段と置き換える（または組み合わせて使用する）ことができる。
【００２８】
本発明のこれらの実施形態では、本発明は、（ｉ）従来のグローブの高密度の革または革のような材料に代えて軽量材料を代用すること、（ｉｉ）着用者の手に対する改善されたぴったりとしたフィット感およびゆったりとした手触り、（ｉｉｉ）調整可能なストラップ、ひも、または後部パネルを含む野球またはソフトボール用の既知のグローブの既存材料と少なくとも同じくらい適切でありながら、グローブの使用中に着用者の手および手の周囲の通気性を向上させることを提供し得る。
【００２９】
ここでは本発明を特定の実施形態として説明および図示するが、本発明は、投手、捕手、一塁手、内野手、外野手などのためのグローブまたはミットを含むがこれらに限定されない、野球またはソフトボール用のすべてのグローブに適用することができることを理解されたい。
【００３０】
上記から、本発明の様々な実施形態は、上記のすべての目的および利点を達成するのによく適合し、明らか、かつ本構造に固有のさらに他の利点が得られることが分かる。本実施形態の特定の特徴および副組み合わせは有用であり、他の特徴および副組み合わせを参照することなく使用することができることが理解されるであろう。本発明の多くの可能な実施形態は、本発明の精神および範囲から逸脱することなく行うことができるので、添付の図面に記載または図示される本明細書のすべての開示は、単なる例示として解釈されるべきであり、限定ではないことも理解されたい。上記で説明され、図面に示された様々な構成は、例としてのみ提示され、本発明の概念、原理、および範囲を限定することを意図するものではない。
【００３１】
しかしながら、本発明の多くの変更、修正、変形、ならびに他の使用および用途は、明細書および添付図面を考慮すれば、当業者には明らかになるであろう。本発明の精神および範囲から逸脱しないそのようなすべての変更、修正、変形ならびに他の使用および用途は、以下の特許請求の範囲によってのみ限定される本発明によって網羅されるとみなされる。
【符号の説明】
【００３２】
１００  従来のグローブ
１１０  前部パネル
１１５  後部パネル
１２０  グローブシェル
１２２  上側面
１２４  下側面
１２６  両側面
１３６  親指部
１３８  指部
１４０  指領域
１４２  ウェブ
１４５  開口部
１５０  ストラップまたはひも
２００  軽量グローブ
２０５  前部パネル
２１０  後部パネル
２２０  上部
２２５  両側面
２３０  開口部
２３５  切り欠き部
２４０  ストラップ
２４５  第１の切り欠き側面
２５０  第２の切り欠き側面
２５２  下部
２５５  ひも
２６５  第２のストラップ端部
２７０  弾性バンド、弾性ストラップ
【図１】
2020192317.tif 000003
【図２】
2020192317.tif 000004
【図３】
2020192317.tif 000005
【図４】
2020192317.tif 000006
【図５】
2020192317.tif 000007
【外国語明細書】
2020192317000001.pdf